(57)【特許請求の範囲】
【請求項１】
放送番組へのアクセスを制御する視聴及び録画用カードをそれぞれ挿入可能な複数のカードスロットと、
複数の放送事業者の放送局から放送番組及び制御メッセージをそれぞれ受信する複数のチューナと、
受信された前記放送番組及び前記制御メッセージを記録する記録手段と、
記録された前記放送番組を前記記録手段から読み出して再生する表示制御手段とを備え、
前記表示制御手段は、記録された１つの放送番組を前記記録手段から読み出して再生するとき、
前記複数のカードスロットに挿入された視聴及び録画用カードを参照して、当該放送番組の放送事業者との視聴契約の有無を判断し、
前記複数のカードスロットのすべてに挿入された視聴及び録画用カードに基づいて、当該放送番組の放送事業者との視聴契約がないと判断される場合、記録された前記制御メッセージに基づいて自動表示メッセージを生成し、当該放送番組に前記自動表示メッセージを重畳して再生し、
少なくとも１つの視聴及び録画用カードに基づいて、当該放送番組の放送事業者との視聴契約があると判断される場合、前記自動表示メッセージを重畳することなく当該放送番組を再生し、
前記複数のカードスロットのうちの１つに挿入される視聴及び録画用カードは、主カードに設定され、残りのカードスロットに挿入される視聴及び録画用カードは、サブカードに設定され、
前記表示制御手段は、前記主カードが前記カードスロットに挿入されず、かつ、前記サブカードに基づいて、当該放送番組の放送事業者との視聴契約がないと判断される場合、前記自動表示メッセージを重畳することなく当該放送番組を再生する、
放送番組録画装置。
【請求項２】
前記表示制御手段は、前記主カード及び前記サブカードが前記カードスロットに挿入されていない場合、前記自動表示メッセージを重畳することなく当該放送番組を再生する、
請求項１記載の放送番組録画装置。
【請求項３】
前記表示制御手段は、前記主カードが前記カードスロットに挿入されていない場合、前記主カードが前記カードスロットに挿入されていないことを通知するメッセージを当該放送番組に重畳して再生する、
請求項１又は２記載の放送番組録画装置。
【請求項４】
前記表示制御手段は、前記主カードに基づいて、当該放送番組の放送事業者との視聴契約がないと判断され、かつ、前記サブカードが前記カードスロットに挿入されていない場合、当該放送番組に前記自動表示メッセージを重畳して再生する、
請求項１〜３のうちの１つに記載の放送番組録画装置。
【請求項５】
前記記録手段は、少なくとも１つのチューナにより受信された少なくとも１つのチャンネルの複数の放送番組を予め決められた時間期間にわたって連続的に記録し、
前記表示制御手段は、予め決められた視聴及び録画用カードを使用するように指定された放送事業者以外の放送事業者について、１つのチャンネルの連続的に記録された複数の放送番組のうちの１つを前記記録手段から読み出して再生するとき、
前記複数のカードスロットに挿入された視聴及び録画用カードを参照して、当該放送番組の放送事業者との視聴契約の有無を判断し、
前記複数のカードスロットのすべてに挿入された視聴及び録画用カードに基づいて、当該放送番組の放送事業者との視聴契約がないと判断される場合、受信された前記制御メッセージに基づいて自動表示メッセージを生成し、当該放送番組に前記自動表示メッセージを重畳して再生し、
少なくとも１つの視聴及び録画用カードに基づいて、当該放送番組の放送事業者との視聴契約があると判断される場合、前記自動表示メッセージを重畳することなく当該放送番組を再生する、
請求項１〜４のうちの１つに記載の放送番組録画装置。
【発明の詳細な説明】
【技術分野】
【０００１】
本開示は、複数のチューナと、放送番組へのアクセスを制御する複数の視聴及び録画用カードを収容する複数のカードスロットとを備えた放送番組録画装置に関する。
【背景技術】
【０００２】
複数のチャンネルの放送番組を同時に録画するために、複数のチューナと、放送番組へのアクセスを制御する複数の視聴及び録画用カード（例えば、Ｂ−ＣＡＳ（BS Conditional Access Systems：登録商標）カード）を収容する複数のカードスロットとを備えた放送番組録画装置が知られている。そのような放送番組録画装置は、例えば特許文献１及び２に開示されている。また、そのような放送番組録画装置の動作は、例えば非特許文献１及び２で規定されている。
【先行技術文献】
【特許文献】
【０００３】
【特許文献１】特開２０１１−０７８０４３号公報
【特許文献２】特開２０１１−０７７９２９号公報
【非特許文献】
【０００４】
【非特許文献１】「地上デジタルテレビジョン放送運用規定  技術資料」、ＡＲＩＢ  ＴＲ−Ｂ１４、５．９版、一般社団法人  電波産業会、平成２７年７月３日。
【非特許文献２】「ＢＳ／広帯域ＣＳデジタル放送運用規定  技術資料」、ＡＲＩＢ  ＴＲ−Ｂ１５、６．７版、一般社団法人  電波産業会、平成２７年７月３日。
【発明の概要】
【発明が解決しようとする課題】
【０００５】
放送番組録画装置は、有料チャンネルの放送番組を録画して再生するとき、Ｂ−ＣＡＳカードに書き込まれた視聴契約の情報に基づいて、放送番組に自動表示メッセージを重畳することがある。自動表示メッセージが放送番組に重畳されることにより利便性が低下することがある。
【０００６】
本開示は、自動表示メッセージが放送番組に重畳されることによる利便性の低下を生じさせにくい放送番組録画装置を提供する。
【課題を解決するための手段】
【０００７】
本開示に係る放送番組録画装置は、放送番組へのアクセスを制御する視聴及び録画用カードをそれぞれ挿入可能な複数のカードスロットと、複数のチューナと、記録手段と、表示制御手段とを備える。複数のチューナは、複数の放送事業者の放送局から放送番組及び制御メッセージをそれぞれ受信する。記録手段は、受信された放送番組及び制御メッセージを記録する。表示制御手段は、記録された放送番組を記録手段から読み出して再生する。表示制御手段は、記録された１つの放送番組を記録手段から読み出して再生するとき、複数のカードスロットに挿入された視聴及び録画用カードを参照して、当該放送番組の放送事業者との視聴契約の有無を判断する。表示制御手段は、複数のカードスロットのすべてに挿入された視聴及び録画用カードに基づいて、当該放送番組の放送事業者との視聴契約がないと判断される場合、記録された制御メッセージに基づいて自動表示メッセージを生成し、当該放送番組に自動表示メッセージを重畳して再生する。表示制御手段は、少なくとも１つの視聴及び録画用カードに基づいて、当該放送番組の放送事業者との視聴契約があると判断される場合、自動表示メッセージを重畳することなく当該放送番組を再生する。
【発明の効果】
【０００８】
本開示に係る放送番組録画装置によれば、複数の視聴及び録画用カードの少なくとも１つが、放送番組の放送事業者と視聴契約を結んでいることを示す場合、表示制御手段は自動表示メッセージを重畳せずに放送番組を再生する。従って、自動表示メッセージが放送番組に重畳されることによる利便性の低下を生じさせにくい放送番組録画装置を提供することができる。
【図面の簡単な説明】
【０００９】
【図１】実施形態１に係る放送番組録画装置２の構成を示すブロック図である。
【図２】放送番組録画装置の製造業者と放送事業者との取り決めによる、視聴契約の有無に応じた自動表示メッセージの表示の有無を示す表である。
【図３】図１の放送番組録画装置２により放送番組をリアルタイム視聴する場合の動作を示す図である。
【図４】図１の放送番組録画装置２により放送番組を録画する場合の動作を示す図である。
【図５】図１の放送番組録画装置２により録画された放送番組を再生する場合の動作を示す図である。
【図６】図１の放送番組録画装置２により通常録画された放送番組を再生する場合における、視聴契約の有無に応じた自動表示メッセージの表示の有無を示す表である。
【図７】図１の表示制御回路３２によって実行される通常録画番組の再生処理を示すフローチャートである。
【図８】図７のステップＳ５で表示されるメッセージの例を示す図である。
【図９】図７のステップＳ１０で表示される自動表示メッセージの例を示す図である。
【図１０】実施形態２に係る放送番組録画装置２の動作において、放送番組録画装置２によりチャンネル録画された放送番組を再生する場合における、視聴契約の有無に応じた自動表示メッセージの表示の有無を示す表である。
【図１１】実施形態２に係る放送番組録画装置２の動作において、放送番組録画装置２の表示制御回路３２によって実行されるチャンネル録画番組の再生処理を示すフローチャートである。
【図１２】図１１のステップＳ１８の再生処理のサブルーチンを示すフローチャートである。
【発明を実施するための形態】
【００１０】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者（ら）は、当業者が本開示を十分に理解するために添付図面および以下の説明を提供するのであって、これらによって特許請求の範囲に記載の主題を限定することを意図するものではない。
【００１２】
（発明の経緯）
放送番組録画装置のユーザは、ＢＳ（Broadcasting Satellite）放送及びＣＳ（Communication Satellite）放送の有料チャンネルの放送番組を視聴するためには放送事業者と視聴契約を結ぶ必要があり、視聴契約の内容はＢ−ＣＡＳカードに書き込まれる。
【００１３】
ＢＳ放送及びＣＳ放送の有料チャンネルの放送局は、放送番組を送信するとともに、当該有料チャンネルの契約を促すためのメッセージなどを含む自動表示メッセージを生成するための制御メッセージであるＥＭＭ（Entitlement Management Message）を送信する。放送番組録画装置は、有料チャンネルの放送番組を録画して再生するとき、Ｂ−ＣＡＳカードに書き込まれた視聴契約の情報に基づいて、放送番組に自動表示メッセージを重畳するか否かを判断する。放送番組録画装置は、ユーザが放送事業者と契約していなければ、ＥＭＭに基づいて自動表示メッセージを生成し、放送番組に自動表示メッセージを重畳して再生する。一方、放送番組録画装置２は、ユーザが放送事業者と契約していれば、自動表示メッセージを重畳することなく放送番組を再生する。
【００１４】
放送番組録画装置は、ユーザが放送事業者と契約していても、Ｂ−ＣＡＳカードの状態によっては、Ｂ−ＣＡＳカードから視聴契約の情報を読み出せないことがある。この場合、放送番組録画装置は、放送番組に自動表示メッセージを重畳する。このように不必要な自動表示メッセージが放送番組に重畳されることで、ユーザの利便性が低下する。
【００１５】
本開示は、自動表示メッセージが放送番組に重畳されることによる利便性の低下を生じさせにくい放送番組録画装置を提供する。
【００１６】
（実施形態１）
以下、図１〜図９を参照して、実施形態１に係る放送番組録画装置について説明する。
【００１７】
［１−１．構成］
図１は、実施形態１に係る放送番組録画装置２の構成を示すブロック図である。放送番組録画装置２は、視聴及び録画回路１０、録画回路２０、ハードディスクドライブ（ＨＤＤ）３１、表示制御回路３２、ＨＤＭＩ（登録商標）回路３３、及びリモートコントロール（ＲＣ）受信機３４を備える。放送番組録画装置２は、以下に説明するように、Ｂ−ＣＡＳカードをそれぞれ挿入可能な複数のカードスロットと、複数の放送事業者の放送局から放送番組及び自動表示メッセージをそれぞれ受信する複数のチューナとを備える。放送番組録画装置２は、受信した放送番組をＨＤＤ３１に記録する。
【００１８】
視聴及び録画回路１０は、放送番組のリアルタイム視聴時及び録画時に動作する回路である。視聴及び録画回路１０は、チューナ１１〜１３、デスクランブル回路１４、主カードスロット１５、主カード１６、及び録画制御回路１７を含む。チューナ１１〜１３は、アンテナ１に接続され、地上デジタルテレビジョン放送、ＢＳ放送、及びＣＳ放送の放送番組を受信する。実際には、地上デジタルテレビジョン放送のためのアンテナと、ＢＳ放送及びＣＳ放送のための別のアンテナとが用いられるが、図示の簡単化のために、これらのアンテナを１つのアンテナ１として示す。チューナ１１〜１３において、放送番組は暗号化されて受信される。主カードスロット１５には、Ｂ−ＣＡＳカードである主カード１６が挿入される。デスクランブル回路１４は、暗号化されて受信された放送番組を、主カード１６を用いて復号する。デスクランブル回路１４は、復号された放送番組を、リアルタイム視聴のために表示制御回路３２に送るか、又は、ＨＤＤ３１に記録するために録画制御回路１７に送る。録画制御回路１７は、デスクランブル回路１４から送られた放送番組を、ＨＤＤ３１に記録する。
【００１９】
録画回路２０は、放送番組のリアルタイム視聴時には動作せず、録画時のみに動作する回路である。録画回路２０は、チューナ２１〜２３、デスクランブル回路２４、サブカードスロット２５、サブカード２６、及び録画制御回路２７を含む。チューナ２１〜２３は、アンテナ１に接続され、地上デジタルテレビジョン放送、ＢＳ放送、及びＣＳ放送の放送番組を受信する。チューナ２１〜２３において、放送番組は暗号化されて受信される。サブカードスロット２５には、Ｂ−ＣＡＳカードであるサブカード２６が挿入される。デスクランブル回路２４は、暗号化されて受信された放送番組を、サブカード２６を用いて復号する。デスクランブル回路２４は、復号された放送番組を、ＨＤＤ３１に記録するために録画制御回路２７に送る。録画制御回路２７は、デスクランブル回路２４から送られた放送番組を、ＨＤＤ３１に記録する。
【００２０】
表示制御回路３２は、デスクランブル回路１４から送られたリアルタイムの放送番組、又はＨＤＤ３１に記録された放送番組を、ＨＤＭＩ回路３３を介してディスプレイ装置３に送って表示させる。
【００２１】
ＲＣ受信機３４は、リモートコントローラ４からユーザコマンドを受信して、録画制御回路１７、２７及び表示制御回路３２に送る。これにより、録画制御回路１７、２７及び表示制御回路３２の動作は、ユーザによって制御される。
【００２２】
１枚のＢ−ＣＡＳカードを用いて同時に復号できる放送番組の個数は有限である。実施形態１では、１枚のＢ−ＣＡＳカードにより３チャンネル分の放送番組を同時に復号できるものとする。主カード１６は、チューナ１１〜１３により受信された放送番組を復号するために使用され、サブカード２６は、チューナ２１〜２３により受信された放送番組を復号するために使用される。
【００２３】
主カード１６及びサブカード２６は、それぞれ、Ｂ−ＣＡＳカードのユニークなカードＩＤを有する。放送番組録画装置２のユーザは、有料チャンネルの放送事業者との視聴契約を結ぶために、少なくとも１つのＢ−ＣＡＳカード（主カード１６及びサブカード２６）のカードＩＤを使用する。
【００２４】
放送番組録画装置２に装着される複数のＢ−ＣＡＳカードのうち、放送番組録画装置２を代表するものとして設定されたカードＩＤを有するＢ−ＣＡＳカードを「主カード１６」とし、その他のＢ−ＣＡＳカードを「サブカード２６」とする。一部の放送事業者は、当該放送事業者のチャンネルの視聴契約を結ぶために、及び、そのチャンネルの放送番組を受信するために、主カード１６のカードＩＤを使用するように指定する。また、放送番組録画装置２は、ある放送局からデータ放送を受信して当該放送局の放送事業者との双方向サービス（データ放送によるゲームなど）を利用するために、主カード１６のカードＩＤを使用してもよい。データ放送によるゲームにおいてＢ−ＣＡＳカードのカードＩＤを使用する場合、放送番組録画装置２を代表するカードＩＤを設定していないと、ゲームの得点が複数のＢ−ＣＡＳカード間で分散して加算されることになる。一方、データ放送によるゲームにおいて主カード１６のカードＩＤを使用することにより、ゲームの得点を主カード１６のカードＩＤに関連付けて加算することができる。
【００２５】
放送番組録画装置２は、例えば、主カードスロット１５に挿入されたＢ−ＣＡＳカードを「主カード１６」として認識し、サブカードスロット２５に挿入されたＢ−ＣＡＳカードを「サブカード２６」として認識する。それに代わって、放送番組録画装置２は、２つのカードスロットを備え、これらのカードスロットに挿入された２つのＢ−ＣＡＳカードのうちの一方をソフトウェア上で主カードとして設定し、他方をソフトウェア上でサブカードとして設定してもよい。
【００２６】
録画制御回路１７及び２７のそれぞれは、２種類の録画モード、すなわち「通常録画モード」及び「チャンネル録画モード」で、放送番組をＨＤＤ３１に記録する。通常録画モードでは、録画制御回路１７及び２７は、ユーザによって指示された放送中の番組又はユーザによって予約された番組を録画する。チャンネル録画モードでは、録画制御回路１７及び２７は、少なくとも１つのチューナにより受信された少なくとも１つのチャンネルの複数の放送番組を、予め決められた時間期間にわたって連続的に記録する。言い換えると、チャンネル録画モードでは、録画制御回路１７及び２７は、ユーザにより選択されたチャンネルの放送番組を、１日中（又は、数分間〜１時間程度のメンテナンス期間を除いて１日中）、一定期間（例えば１週間）にわたって録画し続ける。録画された放送番組のデータ量が予め決められた値を超えたとき、放送番組録画装置２は、同じチャンネルの古い放送番組から順にＨＤＤ３１から消去する。
【００２７】
以下、実施形態１では、録画制御回路１７及び２７が通常録画モードで放送番組をＨＤＤ３１に記録する場合について説明する。
【００２８】
［１−２．動作］
［１−２−１．従来技術の自動表示メッセージの表示］
ＢＳ放送及びＣＳ放送の有料チャンネルの放送事業者は、契約数の増大のために、無料視聴期間を設けることがある。このとき、ＢＳ放送及びＣＳ放送の有料チャンネルの放送局は、放送番組を送信するとともに、当該有料チャンネルの契約を促すためのメッセージなどを含む自動表示メッセージを生成するための制御メッセージであるＥＭＭを送信する。放送番組録画装置は、ユーザが放送事業者と契約していなければ、ＥＭＭに基づいて自動表示メッセージを生成し、放送番組に自動表示メッセージを重畳して再生する。一方、放送番組録画装置は、ユーザが放送事業者と契約していれば、自動表示メッセージを重畳することなく放送番組を再生する。
【００２９】
図２は、放送番組録画装置の製造業者と放送事業者との取り決めによる、視聴契約の有無に応じた自動表示メッセージの表示の有無の例示的なパターンを示す表である。
【００３０】
地上デジタルテレビジョン放送の各チャンネル及びＢＳ放送の無料チャンネルでは、放送番組録画装置は、自動表示メッセージを重畳することなく放送番組を再生する。
【００３１】
ユーザがＢＳ放送の有料チャンネル及びＣＳ放送の各チャンネルの放送事業者と契約していない場合、放送番組録画装置は以下のように動作する。放送番組のリアルタイム視聴時において、放送番組録画装置は、放送番組に自動表示メッセージを重畳して再生する。また、チャンネル録画番組の再生時には、放送番組録画装置は、放送番組のリアルタイム視聴時と同様に動作し、放送番組に自動表示メッセージを重畳して再生する。また、通常録画番組の再生時には、放送番組録画装置は、ＢＳ放送及びＣＳ放送の放送事業者によって異なる動作をする。一部の放送事業者Ａでは、通常録画番組の再生時には、放送番組録画装置は、自動表示メッセージを重畳することなく放送番組を再生する。一方、他の一部の放送事業者Ｂでは、通常録画番組の再生時にも、放送番組録画装置は、放送番組に自動表示メッセージを重畳して再生する。
【００３２】
ユーザがＢＳ放送の有料チャンネル及びＣＳ放送の各チャンネルの放送事業者と契約している場合、放送番組録画装置は、自動表示メッセージを重畳することなく放送番組を再生する。
【００３３】
図２によれば、一部のチャンネル（以下、「自動表示チャンネル」という）の通常録画番組の再生時において、ユーザが放送事業者と契約しているか否かに基づいて、放送番組に自動表示メッセージを重畳するか否かが決定される。
【００３４】
放送番組録画装置が複数のＢ−ＣＡＳカードを用いる場合、Ｂ−ＣＡＳカード毎に、契約している放送事業者及びその契約内容が異なる可能性がある。例えば、一部の放送事業者との視聴契約は、Ｂ−ＣＡＳカードごとに結ぶ必要がある。一方、他の一部の放送事業者の視聴契約は世帯ごとに結ばれ、１つの受信機（テレビジョン受像機、放送番組録画装置、など）ごとに１つのＢ−ＣＡＳカードを登録する必要がある。従って、Ｂ−ＣＡＳカード毎に、視聴可能なチャンネルが異なる可能性があり、Ｂ−ＣＡＳカード毎に、自動表示チャンネルの通常録画番組の再生時において、放送番組に自動表示メッセージを重畳するか否かの判断が異なる可能性がある。
【００３５】
従来の放送番組録画装置は、ユーザが放送事業者と契約していても、Ｂ−ＣＡＳカードの状態によっては、Ｂ−ＣＡＳカードから視聴契約の情報を読み出せないことがある。例えば、Ｂ−ＣＡＳカードが予め決められたカードスロットに挿入されていない場合、又は、少なくとも１つのＢ−ＣＡＳカードがカードスロットに挿入されていない場合、Ｂ−ＣＡＳカードから視聴契約の情報を読み出せなくなる。この場合、従来の放送番組録画装置は、放送番組に自動表示メッセージを重畳する。このように不必要な自動表示メッセージが放送番組に重畳されることで、ユーザの利便性が低下する。
【００３６】
以下、実施形態１に係る放送番組録画装置２において、自動表示メッセージが放送番組に重畳されることによる利便性の低下を生じさせにくくするための構成について説明する。
【００３７】
［１−２−２．放送番組録画装置の動作］
［１−２−２−１．リアルタイム視聴時の動作］
図３は、図１の放送番組録画装置２により放送番組をリアルタイム視聴する場合の動作を示す図である。図３を参照して、チューナ１１で受信された放送番組をリアルタイム視聴する場合の動作について説明する。
【００３８】
デスクランブル回路１４は、暗号化されてチューナ１１で受信された放送番組を、主カード１６を用いて復号し、復号された放送番組を表示制御回路３２に送る。表示制御回路３２は、主カード１６に書き込まれた、放送番組の放送事業者に係る視聴契約の情報に基づいて、放送番組に自動表示メッセージを重畳するか否かを判断する。詳しくは、非特許文献２に記載のように、表示制御回路３２は、放送番組のＴＳ（Transport Stream）パケットから抽出されたＣＡＴ（Conditional Access Table）に記載されたＣＡサービス記述子を参照する。表示制御回路３２は、主カード１６のＣＡ＿ｓｙｓｔｅｍ＿ｉｄがＣＡサービス記述子のＣＡ＿ｓｙｓｔｅｍ＿ｉｄに一致し、選局中のｓｅｒｖｉｃｅ＿ｉｄがＣＡサービス記述子に記載されているとき、自動表示メッセージの表示を制御する。表示制御回路３２は、放送番組に自動表示メッセージを重畳すると決定したとき、ＴＳパケットから抽出されたＥＭＭに基づいて自動表示メッセージを生成する。ＥＭＭは、個別の受信機宛てに送信されて当該受信機のＢ−ＣＡＳカードに記憶されるＥＭＭ個別メッセージと、全受信機に共通に送信されるＥＭＭ共通メッセージとを含む。自動表示メッセージは、ＥＭＭ個別メッセージ及びＥＭＭ共通メッセージから生成される。表示制御回路３２は、ＥＭＭ個別メッセージを主カード１６から取得し、ＥＭＭ共通メッセージをデスクランブル回路１４から取得する。表示制御回路３２は、放送番組に自動表示メッセージを重畳し、ＨＤＭＩ回路３３を介してディスプレイ装置３に送って表示させる。
【００３９】
他のチューナ１２及び１３で受信された放送番組をリアルタイム視聴する場合も、チューナ１１で受信された放送番組をリアルタイム視聴する場合と同様に動作する。
【００４０】
［１−２−２−２．通常録画モードの録画時の動作］
図４は、図１の放送番組録画装置２により放送番組を録画する場合の動作を示す図である。図４を参照して、チューナ１１及び２１で受信された放送番組を通常録画モードでＨＤＤ３１に記録する場合の動作について説明する。
【００４１】
デスクランブル回路１４は、暗号化されてチューナ１１で受信された放送番組を、主カード１６を用いて復号し、復号された放送番組を録画制御回路１７に送る。また、デスクランブル回路１４は、自動表示メッセージを生成するためのＥＭＭ共通メッセージを録画制御回路２７に送る。録画制御回路１７は、デスクランブル回路１４から送られた放送番組及びＥＭＭ共通メッセージをＨＤＤ３１に記録する。同様に、デスクランブル回路２４は、暗号化されてチューナ２１で受信された放送番組を、サブカード２６を用いて復号し、復号された放送番組を録画制御回路２７に送る。また、デスクランブル回路２４は、自動表示メッセージを生成するためのＥＭＭ共通メッセージを録画制御回路２７に送る。録画制御回路２７は、デスクランブル回路２４から送られた放送番組及びＥＭＭ共通メッセージを、ＨＤＤ３１に記録する。
【００４２】
前述のように、放送番組録画装置２は、一部の放送事業者のチャンネルの放送番組を受信するために、主カード１６を使用するように指定されることがある。チューナ２１〜２３が当該放送事業者の放送番組を受信する場合、デスクランブル回路２４は、暗号化されて受信された放送番組を、主カード１６を用いて復号する。ただし、図４では、図示の簡単化のために、デスクランブル回路２４から主カードスロット１５及び主カード１６までの接続を省略している。
【００４３】
図４では、チューナ１１及び２１で受信された放送番組を同時にＨＤＤ３１に記録するように示しているが、３つ以上のチューナで受信された放送番組を同時にＨＤＤ３１に記録してもよい。
【００４４】
［１−２−２−３．通常録画番組の再生時の動作］
図５は、図１の放送番組録画装置２により録画された放送番組を再生する場合の動作を示す図である。表示制御回路３２は、記録された放送番組（通常録画番組）をＨＤＤ３１から読み出す。表示制御回路３２は、主カード１６及びサブカード２６に書き込まれた、放送番組の放送事業者に係る視聴契約の情報に基づいて、放送番組に自動表示メッセージを重畳するか否かを判断する。表示制御回路３２は、放送番組に自動表示メッセージを重畳すると決定したとき、記録されたＥＭＭ共通メッセージに基づいて自動表示メッセージを生成する。詳しくは、非特許文献２に記載のように、表示制御回路３２は、サービスタイプ（デジタルＴＶサービス、デジタル音声サービス、データサービス、など）に関係なく、放送番組のＴＳパケットから抽出されたＣＡＴに記載されたＣＡサービス記述子を参照する。表示制御回路３２は、主カード１６のＣＡ＿ｓｙｓｔｅｍ＿ｉｄがＣＡサービス記述子のＣＡ＿ｓｙｓｔｅｍ＿ｉｄに一致し、記録された放送番組が該当のサービスであるとき、自動表示メッセージの表示を制御する。表示制御回路３２は、ＣＡＴがＣＡサービス記述子を含む場合には、猶予期間フィールドの最下位ビットを参照し、通常録画番組の再生時にも自動表示メッセージを表示するように指定されているか否かを判断する。表示するように指定されている場合（最下位ビット＝０）、表示制御回路３２は、自動表示メッセージを表示するための情報を取得するコマンドを主カード１６及びサブカード２６に送る。次いで、表示制御回路３２は、主カード１６及びサブカード２６から、コマンドへの応答としてメッセージ定型文番号を取得し、その定型文番号に対応するＥＭＭ共通メッセージをＨＤＤ３１から読み出す。一方、表示しないように指定されている場合（最下位ビット＝１）、表示制御回路３２は、自動表示メッセージを表示するための情報を取得するコマンドを発行せず、自動表示メッセージを表示しない。表示制御回路３２は、放送番組に自動表示メッセージを重畳し、ＨＤＭＩ回路３３を介してディスプレイ装置３に送って表示させる。
【００４５】
上述のように、通常録画番組の再生時において、表示制御回路３２は、基本的には、ＨＤＤ３１に記録されたＥＭＭ共通メッセージに基づいて自動表示メッセージを生成する。しかしながら、放送番組録画装置２が放送番組のリアルタイム視聴の機能を有する場合、表示制御回路３２は、受信された最新のＥＭＭ共通メッセージに基づいて自動表示メッセージを生成してもよい。
【００４６】
ＨＤＤ３１にＥＭＭ及びＥＭＭ個別メッセージが記録されている場合、表示制御回路３２は、自動表示メッセージを生成するとき、ＨＤＤ３１に記録されたＥＭＭ及びＥＭＭ個別メッセージを考慮しない。
【００４７】
［１−２−３．実施形態１による自動表示メッセージの表示］
図５を参照して説明したように、通常録画番組の再生時において放送番組に自動表示メッセージを重畳するか否かは、放送番組のストリーム中のフラグ（ＣＡサービス記述子の猶予期間フィールドの最下位ビットが０であれば表示）で定義される。放送番組を通常録画モードで録画する場合、自動表示メッセージを生成するためのＥＭＭ共通メッセージは、放送番組とともにＨＤＤ３１に記録される。ＥＭＭ共通メッセージは、常にＨＤＤ３１に記録されてもよく、自動表示メッセージを重畳することが必要な放送番組を記録するときのみＨＤＤ３１に記録されてもよい。通常録画番組の再生時において放送番組に自動表示メッセージを重畳するか否かは、再生時に放送番組録画装置２に装着された主カード１６及びサブカード２６の状態に依存する。主カード１６及びサブカード２６の少なくとも一方が、放送番組の放送事業者と視聴契約を結んでいることを示す場合、放送番組録画装置２は自動表示メッセージを重畳せずに放送番組を再生する。
【００４８】
図６は、図１の放送番組録画装置２により通常録画された放送番組を再生する場合における、視聴契約の有無に応じた自動表示メッセージの表示の有無を示す表である。図６は、ＢＳ放送の有料チャンネル及びＣＳ放送の各チャンネルの放送番組であって、通常録画番組の再生時にも自動表示メッセージを表示するように指定された放送番組を再生する場合を示す。自動表示メッセージの表示の有無は、図６の左端の列に示す条件１〜９によって場合分けされる。
【００４９】
表示制御回路３２は、記録された１つの放送番組をＨＤＤ３１から読み出して再生するとき、主カードスロット１５及びサブカードスロット２５に挿入された主カード１６及びサブカード２６を参照して、放送番組の放送事業者との視聴契約の有無を判断する。次いで、表示制御回路３２は、その判断結果に基づいて、自動表示メッセージの表示を制御する。
【００５０】
まず、カードスロットのすべて（主カードスロット１５及びサブカードスロット２５）に挿入されたＢ−ＣＡＳカード（主カード１６及びサブカード２６）に基づいて、放送番組の放送事業者との視聴契約がないと判断される場合（条件１）を検討する。この場合、表示制御回路３２は、記録されたＥＭＭ共通メッセージに基づいて自動表示メッセージを生成し、放送番組に自動表示メッセージを重畳して再生する。一方、少なくとも１つのＢ−ＣＡＳカードに基づいて、放送番組の放送事業者との視聴契約があると判断される場合（条件２、４〜６、８）、表示制御回路３２は、自動表示メッセージを重畳することなく放送番組を再生する。
【００５１】
主カード１６が主カードスロット１５に挿入されず、かつ、サブカード２６に基づいて、放送番組の放送事業者との視聴契約がないと判断される場合（条件７）、表示制御回路３２は、自動表示メッセージを重畳することなく放送番組を再生する。
【００５２】
主カード１６及びサブカード２６がカードスロットに挿入されていない場合（条件９）、表示制御回路３２は、自動表示メッセージを重畳することなく放送番組を再生する。
【００５３】
主カード１６に基づいて、放送番組の放送事業者との視聴契約がないと判断され、かつ、サブカード２６がカードスロットに挿入されていない場合（条件３）、表示制御回路３２は、放送番組に自動表示メッセージを重畳して再生する。
【００５４】
主カード１６がカードスロットに挿入されていない場合（条件７及び９）、表示制御回路３２は、主カード１６がカードスロットに挿入されていないことを通知するメッセージを放送番組に重畳して再生してもよい。
【００５５】
以上説明したように、表示制御回路３２は、主カード１６及びサブカード２６の少なくとも一方が、放送番組の放送事業者と視聴契約を結んでいることを示す場合、自動表示メッセージを重畳せずに放送番組を再生する。表示制御回路３２は、基本的には、主カード１６に書き込まれた視聴契約の情報に従う。表示制御回路３２は、主カード１６に「契約あり」と書き込まれている場合、サブカード２６の状態（契約あり、契約なし、カード抜け）にかかわらず、自動表示メッセージを重畳することなく放送番組を再生する。ただし、サブカード２６のカードＩＤを用いて視聴契約を結んでいる場合を考慮して、表示制御回路３２は、サブカード２６に「契約あり」と書き込まれている場合にも、自動表示メッセージを重畳することなく放送番組を再生する。Ｂ−ＣＡＳカードがカードスロットに挿入されていないことを通知するメッセージは、主カード１６のみについて生成される。サブカード２６がサブカードスロット２５に挿入されていなくても、表示制御回路３２は、このことを通知するメッセージを生成しない。
【００５６】
図７は、図１の表示制御回路３２によって実行される通常録画番組の再生処理を示すフローチャートである。図７の処理は、図６の表に従って実行される。
【００５７】
ステップＳ１において、表示制御回路３２は、主カード１６が主カードスロット１５に挿入されているか否かを判断し、ＹＥＳであればステップＳ７に進み、ＮＯであればステップＳ２に進む。ステップＳ２において、表示制御回路３２は、サブカード２６がサブカードスロット２５に挿入されているか否かを判断し、ＹＥＳであればステップＳ３に進み、ＮＯであればステップＳ４に進む。ステップＳ３において、表示制御回路３２は、サブカード２６が契約されているか否かを判断し、ＹＥＳであればステップＳ６に進み、ＮＯであればステップＳ４に進む。ステップＳ４において、表示制御回路３２は、カード未挿入のメッセージが設定されているか否かを判断し、ＹＥＳであればステップＳ５に進み、ＮＯであればステップＳ６に進む。ステップＳ５において、表示制御回路３２は、カード未挿入のメッセージを表示する。図８は、図７のステップＳ５で表示されるカード未挿入を通知するメッセージの例を示す図である。
【００５８】
ステップＳ６において、表示制御回路３２は、自動表示メッセージを非表示に設定し、自動表示メッセージを重畳することなく放送番組を再生する。
【００５９】
ステップＳ７において、表示制御回路３２は、主カード１６が契約されているか否かを判断し、ＹＥＳであればステップＳ６に進み、ＮＯであればステップＳ８に進む。ステップＳ８において、表示制御回路３２は、サブカード２６がサブカードスロット２５に挿入されているか否かを判断し、ＹＥＳであればステップＳ９に進み、ＮＯであればステップＳ１０に進む。ステップＳ９において、表示制御回路３２は、サブカード２６が契約されているか否かを判断し、ＹＥＳであればステップＳ６に進み、ＮＯであればステップＳ１０に進む。ステップＳ１０において、表示制御回路３２は、放送番組に自動表示メッセージを重畳して再生する。図９は、図７のステップＳ１０で表示される自動表示メッセージの例を示す図である。
【００６０】
実施形態１の放送番組録画装置２によれば、主カード１６及びサブカード２６の少なくとも一方が、放送番組の放送事業者と視聴契約を結んでいることを示す場合、放送番組録画装置２は自動表示メッセージを重畳せずに放送番組を再生する。従って、通常録画番組の再生時において、自動表示メッセージが放送番組に重畳されることによる利便性の低下を生じさせにくい放送番組録画装置２を提供することができる。
【００６１】
［１−３．効果等］
実施形態１の放送番組録画装置２は、Ｂ−ＣＡＳカードをそれぞれ挿入可能な複数のカードスロットと、複数のチューナ１１〜１３，２１〜２３と、ＨＤＤ３１と、表示制御回路３２とを備える。複数のチューナ１１〜１３，２１〜２３は、複数の放送事業者の放送局から放送番組及び制御メッセージをそれぞれ受信する。ＨＤＤ３１は、受信された放送番組及び制御メッセージを記録する。表示制御回路３２は、記録された放送番組をＨＤＤ３１から読み出して再生する。表示制御回路３２は、記録された１つの放送番組をＨＤＤ３１から読み出して再生するとき、複数のカードスロットに挿入されたＢ−ＣＡＳカードを参照して、当該放送番組の放送事業者との視聴契約の有無を判断する。表示制御回路３２は、複数のカードスロットのすべてに挿入されたＢ−ＣＡＳカードに基づいて、当該放送番組の放送事業者との視聴契約がないと判断される場合、記録された制御メッセージに基づいて自動表示メッセージを生成し、当該放送番組に自動表示メッセージを重畳して再生する。表示制御回路３２は、少なくとも１つのＢ−ＣＡＳカードに基づいて、当該放送番組の放送事業者との視聴契約があると判断される場合、自動表示メッセージを重畳することなく当該放送番組を再生する。
【００６２】
また、実施形態１の放送番組録画装置２によれば、複数のカードスロットのうちの１つ（主カードスロット１５）に挿入されるＢ−ＣＡＳカードは、主カード１６に設定される。また、残りのカードスロット（サブカードスロット２５）に挿入されるＢ−ＣＡＳカードは、サブカード２６に設定される。表示制御回路３２は、主カード１６が主カードスロット１５に挿入されず、かつ、サブカード２６に基づいて、当該放送番組の放送事業者との視聴契約がないと判断される場合、自動表示メッセージを重畳することなく当該放送番組を再生する。
【００６３】
また、実施形態１の放送番組録画装置２によれば、表示制御回路３２は、主カード１６が主カードスロット１５に挿入されず、サブカード２６がサブカードスロット２５に挿入されていない場合、自動表示メッセージを重畳することなく当該放送番組を再生する。
【００６４】
また、実施形態１の放送番組録画装置２によれば、表示制御回路３２は、主カード１６が主カードスロット１５に挿入されていない場合、主カード１６が主カードスロット１５に挿入されていないことを通知するメッセージを当該放送番組に重畳して再生する。
【００６５】
また、実施形態１の放送番組録画装置２によれば、表示制御回路３２は、主カード１６に基づいて、当該放送番組の放送事業者との視聴契約がないと判断され、かつ、サブカード２６がサブカードスロット２５に挿入されていない場合、当該放送番組に自動表示メッセージを重畳して再生する。
【００６６】
これにより、通常録画番組の再生時において、自動表示メッセージが放送番組に重畳されることによる利便性の低下を生じさせにくい放送番組録画装置２を提供することができる。
【００６７】
（実施形態２）
以下、図１０〜図１２を参照して実施形態２に係る放送番組録画装置２について説明する。実施形態２では、放送番組録画装置２がチャンネル録画モードで放送番組を録画する場合について説明する。
【００６８】
［２−１．構成］
実施形態２に係る放送番組録画装置２は、実施形態１に係る放送番組録画装置２と同様に構成される。実施形態２では、録画制御回路１７及び２７がチャンネル録画モードで放送番組をＨＤＤ３１に記録する。
【００６９】
［２−２．動作］
放送番組録画装置２は、チャンネル録画モードで放送番組を録画する場合にも、概略的には、図３〜図５を参照して説明した通常録画モードで放送番組を録画する場合と同様に動作する。ただし、ＢＳ放送の有料チャンネル及びＣＳ放送の各チャンネルの放送番組であって、自動表示メッセージを表示するように指定された放送番組を再生する場合、ＣＡサービス記述子の猶予期間フィールドの最下位ビットにかかわらず自動表示メッセージを表示する。録画制御回路１７及び２７がチャンネル録画モードで放送番組をＨＤＤ３１に記録するとき、ＥＭＭ共通メッセージはＨＤＤ３１に記録されない。表示制御回路３２は、受信された最新のＥＭＭ共通メッセージに基づいて自動表示メッセージを生成する。
【００７０】
図１０は、実施形態２に係る放送番組録画装置２の動作において、放送番組録画装置２によりチャンネル録画された放送番組を再生する場合における、視聴契約の有無に応じた自動表示メッセージの表示の有無を示す表である。図１０は、ＢＳ放送の有料チャンネル及びＣＳ放送の各チャンネルの放送番組であって、自動表示メッセージを表示するように指定された放送番組を再生する場合を示す。主カード１６及びサブカード２６を使用可能なチャンネルでは、自動表示メッセージの表示の有無は、図６の場合と同様である。一方、主カード１６のみを使用するチャンネルでは、自動表示メッセージの表示の有無は、主カード１６の状態（契約あり、契約なし、カード抜け）のみによって決まり、サブカード２６の状態は考慮されないとする。表示制御回路３２は、主カード１６に基づいて、放送番組の放送事業者との視聴契約があると判断される場合（条件１〜３）、自動表示メッセージを重畳することなく放送番組を再生する。表示制御回路３２は、主カード１６に基づいて、放送番組の放送事業者との視聴契約がないと判断される場合（条件４〜６）、放送番組に自動表示メッセージを重畳して再生する。表示制御回路３２は、主カード１６がカードスロットに挿入されていない場合（条件７〜９）、主カード１６がカードスロットに挿入されていないことを通知するメッセージを放送番組に重畳して再生する。
【００７１】
図１１は、実施形態２に係る放送番組録画装置２の動作において、放送番組録画装置２の表示制御回路３２によって実行されるチャンネル録画番組の再生処理を示すフローチャートである。図１１の処理は、図１０の表に従って実行される。
【００７２】
ステップＳ１１において、表示制御回路３２は、再生使用としているチャンネル録画番組のチャンネルが、主カード１６のみを使用するチャンネルであるか否かを判断し、ＹＥＳであればステップＳ１２に進み、ＮＯであればステップＳ１８に進む。ステップＳ１２において、表示制御回路３２は、主カード１６が主カードスロット１５に挿入されているか否かを判断し、ＹＥＳであればステップＳ１５に進み、ＮＯであればステップＳ１３に進む。ステップＳ１３において、表示制御回路３２は、カード未挿入のメッセージが設定されているか否かを判断し、ＹＥＳであればステップＳ１４に進み、ＮＯであればステップＳ１６に進む。ステップＳ１４において、表示制御回路３２は、カード未挿入のメッセージを表示する。
【００７３】
ステップＳ１８において、表示制御回路３２は再生処理を実行する。図１２は、図１１のステップＳ１８の再生処理のサブルーチンを示すフローチャートである。図１２の各ステップＳ２１〜Ｓ３０は、図７の各ステップＳ１〜Ｓ１０と同様である。
【００７４】
ステップＳ１５において、表示制御回路３２は、主カード１６が契約されているか否かを判断し、ＹＥＳであればステップＳ１６に進み、ＮＯであればステップＳ１７に進む。ステップＳ１６において、表示制御回路３２は、自動表示メッセージを非表示に設定し、自動表示メッセージを重畳することなく放送番組を再生する。ステップＳ１７において、表示制御回路３２は、放送番組に自動表示メッセージを重畳して再生する。
【００７５】
放送番組録画装置２は、「通常録画モード」及び「チャンネル録画モード」の両方で動作し、実施形態１に従って動作し、さらに、実施形態２に従って動作してもよい。
【００７６】
放送番組録画装置２において、通常録画番組のための記憶装置とチャンネル録画番組のための記憶装置とが分かれている場合、記録された放送番組を後者の記憶装置から前者の記憶装置にコピー又は移動することがある。このようにコピー又は移動された放送番組については、自動表示メッセージは表示されない。
【００７７】
実施形態２の放送番組録画装置２によれば、主カード１６及びサブカード２６の少なくとも一方が、放送番組の放送事業者と視聴契約を結んでいることを示す場合、放送番組録画装置２は自動表示メッセージを重畳せずに放送番組を再生する。従って、チャンネル録画番組の再生時において、自動表示メッセージが放送番組に重畳されることによる利便性の低下を生じさせにくい放送番組録画装置２を提供することができる。
【００７８】
［２−３．効果等］
実施形態２の放送番組録画装置によれば、ＨＤＤ３１は、少なくとも１つのチューナにより受信された少なくとも１つのチャンネルの複数の放送番組を予め決められた時間期間にわたって連続的に記録する。表示制御回路３２は、予め決められたＢ−ＣＡＳカード（主カード１６）を使用するように指定された放送事業者以外の放送事業者について、１つのチャンネルの連続的に記録された複数の放送番組のうちの１つをＨＤＤ３１から読み出して再生するとき、以下のように動作する。表示制御回路３２は、複数のカードスロットに挿入されたＢ−ＣＡＳカードを参照して、当該放送番組の放送事業者との視聴契約の有無を判断する。表示制御回路３２は、複数のカードスロットのすべてに挿入されたＢ−ＣＡＳカードに基づいて、当該放送番組の放送事業者との視聴契約がないと判断される場合、受信された制御メッセージに基づいて自動表示メッセージを生成し、当該放送番組に自動表示メッセージを重畳して再生する。表示制御回路３２は、少なくとも１つのＢ−ＣＡＳカードに基づいて、当該放送番組の放送事業者との視聴契約があると判断される場合、自動表示メッセージを重畳することなく当該放送番組を再生する。
【００７９】
これにより、チャンネル録画番組の再生時において、自動表示メッセージが放送番組に重畳されることによる利便性の低下を生じさせにくい放送番組録画装置２を提供することができる。
【００８０】
（他の実施形態）
以上のように、本出願において開示する技術の例示として、実施形態１〜２を説明した。しかしながら、本開示における技術は、これらに限定されず、適宜、変更、置き換え、付加、省略などを行った実施形態にも適用可能である。また、実施形態１〜２で説明した各構成要素を組み合わせて、新たな実施形態とすることも可能である。
【００８１】
そこで、以下、他の実施形態を例示する。
【００８２】
実施形態１〜２では、放送番組録画装置２が、２つのＢ−ＣＡＳカード（主カード１６及びサブカード２６）と、６つのチューナ１１〜１３，２１〜２３とを備える場合について説明した。しかしながら、実施形態に係る放送番組録画装置は、３つ以上のＢ−ＣＡＳカード及び７つ以上のチューナを備えてもよい。
【００８３】
実施形態１〜２では、放送番組録画装置２がＢ−ＣＡＳカードを用いる場合について説明した。しかしながら、実施形態に係る放送番組録画装置は、放送番組へのアクセスを制御する機能を有する他の任意の視聴及び録画用カードを使用してもよい。
【００８４】
実施形態１〜２では、主カードスロット１５を含む視聴及び録画回路１０と、サブカードスロット２５を含む録画回路２０とのそれぞれが、通常録画モード及びチャンネル録画モードの両方で動作する場合について説明した。しかしながら、実施形態に係る放送番組録画装置は、放送番組を通常録画モードで録画するために、あるＢ−ＣＡＳカードを使用し、放送番組をチャンネル録画モードで録画するために、他のＢ−ＣＡＳカードを使用するように構成されてもよい。例えば、視聴及び録画回路１０が通常録画モードのみで動作し、録画回路２０がチャンネル録画モードのみで動作してもよい。
【００８５】
実施形態１〜２では、記憶手段の一例としてＨＤＤ３１を備える場合について説明した。しかしながら、記憶手段は、ＨＤＤに限定されず、放送番組を記録する他の任意の記憶媒体（例えば、ＳＳＤ）であってもよい。
【００８６】
実施形態に係る放送番組録画装置は、ＤＶＤ、ＢＤ、ＳＤカード、ＵＳＢメモリ、及びＵＳＢで接続された外部ＨＤＤなどの、着脱可能な外部記録媒体のためのインターフェースをさらに備えてもよい。この場合、放送番組録画装置は、ＨＤＤに記録された放送番組を外部記録媒体にコピー又は移動してもよい。
【００８７】
実施形態１〜２では、表示制御手段の一例として表示制御回路３２を備える場合について説明した。表示制御手段は、任意の専用のハードウェア回路として実装可能であり、又は、所定のプログラムを実行するプロセッサとして実装可能である。表示制御回路３２は、例えば、ＣＰＵ、ＭＰＵ、ＤＳＰ、ＦＰＧＡ、ＡＳＩＣ等で構成可能である。
【００８８】
実施形態１〜２では、ＢＳ放送の有料チャンネル及びＣＳ放送の各チャンネルの放送番組であって、通常録画番組又はチャンネル録画番組の再生時に自動表示メッセージを表示するように指定された放送番組を再生する場合について説明した。本開示における技術は、地上デジタルテレビジョン放送の各チャンネル及びＢＳ放送の無料チャンネルの放送番組であって、通常録画番組又はチャンネル録画番組の再生時に自動表示メッセージを表示する場合にも、同様に適用可能である（非特許文献１を参照）。
【００８９】
以上のように、本開示における技術の例示として、実施形態を説明した。そのために、添付図面および詳細な説明を提供した。
【００９０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９１】
また、上述の実施形態は、本開示における技術を例示するためのものであるから、特許請求の範囲またはその均等の範囲において種々の変更、置き換え、付加、省略などを行うことができる。
【産業上の利用可能性】
【００９２】
本開示は、ＨＤＤレコーダ、ＢＤレコーダ、ＤＶＤレコーダ、フラッシュメモリを用いたレコーダ、パーソナルコンピュータ等の放送番組録画装置に適用できる。
【符号の説明】
【００９３】
１…アンテナ、
２…放送番組録画装置、
３…ディスプレイ装置、
４…リモートコントローラ、
１０…視聴及び録画回路、
１１〜１３…チューナ、
１４…デスクランブル回路、
１５…主カードスロット、
１６…主カード、
１７…録画制御回路、
２０…録画回路、
２１〜２３…チューナ、
２４…デスクランブル回路、
２５…サブカードスロット、
２６…サブカード、
２７…録画制御回路、
３１…ハードディスクドライブ（ＨＤＤ）、
３２…表示制御回路、
３３…ＨＤＭＩ回路、
３４…リモートコントロール（ＲＣ）受信機。
【図１】
0006516127.tif 000002
【図２】
0006516127.tif 000003
【図３】
0006516127.tif 000004
【図４】
0006516127.tif 000005
【図５】
0006516127.tif 000006
【図６】
0006516127.tif 000007
【図７】
0006516127.tif 000008
【図８】
0006516127.tif 000009
【図９】
0006516127.tif 000010
【図１０】
0006516127.tif 000011
【図１１】
0006516127.tif 000012
【図１２】
0006516127.tif 000013